(57)【要約】【課題】  特別な制御を行うこともなく、回路規模を小さくすることができる周波数変換回路、周波数特性補正方法を提供する。【解決手段】  周波数変換を行う入力信号と、周波数特性の補正を行う周波数特性補正回路３、温度特性補正回路４それぞれから出力される補正信号を入力し、周波数特性を等化するイコライザ回路２２と、前記イコライザ回路２２の出力信号とシンセサイザ回路１の出力信号を混合するミキサ２３とを備えた周波数変換回路であって、前記シンセサイザ回路１のＡＰＣ−Ｖを基に周波数特性の補正を行い、前記補正信号を出力することを特徴とする。【選択図】  図１
2005217732.tif 000002
【特許請求の範囲】
【請求項１】
周波数変換を行う入力信号と周波数特性の補正を行う補正信号を入力し、周波数特性を等化するイコライザ回路と、
前記イコライザ回路の出力信号とシンセサイザ回路の出力信号を混合するミキサとを備えた周波数変換回路であって、
前記シンセサイザ回路のＡＰＣ−Ｖを基に周波数特性の補正を行い、前記補正信号を出力することを特徴とする周波数変換回路。
【請求項２】
周波数特性の補正を行う前記補正信号を出力する周波数特性補正回路を有し、
前記周波数特性補正回路は、前記ＡＰＣ−Ｖをオペアンプの入力とし、差動増幅して前記補正信号を出力する第１のオペアンプ回路を有することを特徴とする請求項１に記載の周波数変換回路。
【請求項３】
周波数特性の温度変動に伴う補正を行う前記補正信号を出力する温度特性補正回路を有し、
前記温度特性補正回路は、温度モニターの出力をオペアンプの入力とし、差動増幅して前記補正信号を出力する第２のオペアンプ回路を有することを特徴とする請求項２に記載の周波数変換回路。
【請求項４】
周波数変換を行う入力信号と周波数特性の補正を行う補正信号を入力し、周波数特性を等化する等化工程と、
前記等化工程における出力信号とシンセサイザ工程における出力信号を混合する混合工程とを備えた周波数特性補正方法であって、
前記シンセサイザ工程におけるＡＰＣ−Ｖを基に周波数特性の補正を行い、前記補正信号を出力することを特徴とする周波数特性補正方法。
【請求項５】
周波数特性の補正を行う前記補正信号を出力する周波数特性補正工程を有し、
前記周波数特性補正工程にて、前記ＡＰＣ−Ｖをオペアンプの入力とし、差動増幅して前記補正信号を出力する第１の補正信号出力工程を有することを特徴とする請求項４に記載の周波数特性補正方法。
【請求項６】
周波数特性の温度変動に伴う補正を行う前記補正信号を出力する温度特性補正工程を有し、
前記温度特性補正工程にて、温度モニターの出力をオペアンプの入力とし、差動増幅して前記補正信号を出力する第２の補正信号出力工程を有することを特徴とする請求項５に記載の周波数特性補正方法。
【発明の詳細な説明】
【技術分野】
【０００１】
本発明は、周波数特性を補正し、周波数変換を行う周波数変換回路、周波数特性補正方法に関する。
【背景技術】
【０００２】
図８に示すような多段の増幅器２１、２５とＢＰＦ２４とＶＣＯ１１、ＰＬＬ１２と基準信号用ＴＣＸＯ１３から構成されるシンセサイザ回路１、それをＬＯとするミキサ２３等を含んだコンバーター回路２において、例えば歪み補償を行う様な際には利得の周波数特性が平坦である必要があるが、このような回路では図９に示すような特性になることが多く、全帯域の中でｆ１〜ｆ３をセンターとする帯域１〜３のそれぞれを使う際に、それぞれについて周波数特性を補正する必要がある。また、常温にて周波数特性を補正しても、高温、低温時には周波数特性が変化して、温度ごとにも補正する必要がある。
【０００３】
この補正を行うために図１０のようにコンバーター回路２内にイコライザ回路２２を配置し、これに周波数、温度ごとに加える最適なバイアス条件をＲＯＭ６２に書き込んでおき、温度モニター４０で温度をモニターしながら制御回路６１による制御の下、その周波数ごとでのバイアス条件をＲＯＭ６２から読み出して補正するということが一般的であるが回路規模が大きく複雑な制御が必要となる。
【０００４】
特許文献１では、装置の変換利得設定値及び変換周波数によらず温度補償及び周波数特性の改善が可能な周波数変換装置に関する技術が開示されており、温度センサの出力を入力した制御回路が、可変等化器を制御することにより、変換利得の温度特性及び周波数特性を補償するようにしているが、前記制御回路は図１０の制御回路６１及びＲＯＭ６２に相当する回路規模を有しており、やはり複雑な制御を必要とする大規模な回路となっている。
【特許文献１】特開平７−７３３１号公報
【発明の開示】
【発明が解決しようとする課題】
【０００５】
上記事情を鑑みて本発明では、特別な制御を行うこともなく、回路規模を小さくすることができる周波数変換回路、周波数特性補正方法を提供することを目的とする。
【課題を解決するための手段】
【０００６】
上記目的を達成する本発明の態様としては、周波数変換を行う入力信号と周波数特性の補正を行う補正信号を入力し、周波数特性を等化するイコライザ回路と、前記イコライザ回路の出力信号とシンセサイザ回路の出力信号を混合するミキサとを備えた周波数変換回路であって、前記シンセサイザ回路のＡＰＣ−Ｖを基に周波数特性の補正を行い、前記補正信号を出力することを特徴とする。
【０００７】
前記態様において、周波数特性の補正を行う前記補正信号を出力する周波数特性補正回路を有し、前記周波数特性補正回路は、前記ＡＰＣ−Ｖをオペアンプの入力とし、差動増幅して前記補正信号を出力する第１のオペアンプ回路を有することを特徴とする。
【０００８】
そしてさらに、周波数特性の温度変動に伴う補正を行う前記補正信号を出力する温度特性補正回路を有し、前記温度特性補正回路は、温度モニターの出力をオペアンプの入力とし、差動増幅して前記補正信号を出力する第２のオペアンプ回路を有することを特徴とする。
【０００９】
又本発明の別の態様としては、周波数変換を行う入力信号と周波数特性の補正を行う補正信号を入力し、周波数特性を等化する等化工程と、前記等化工程における出力信号とシンセサイザ工程における出力信号を混合する混合工程とを備えた周波数特性補正方法であって、前記シンセサイザ工程におけるＡＰＣ−Ｖを基に周波数特性の補正を行い、前記補正信号を出力することを特徴とする。
【００１０】
前記態様において、周波数特性の補正を行う前記補正信号を出力する周波数特性補正工程を有し、前記周波数特性補正工程にて、前記ＡＰＣ−Ｖをオペアンプの入力とし、差動増幅して前記補正信号を出力する第１の補正信号出力工程を有することを特徴とする。
【００１１】
そしてさらに、周波数特性の温度変動に伴う補正を行う前記補正信号を出力する温度特性補正工程を有し、前記温度特性補正工程にて、温度モニターの出力をオペアンプの入力とし、差動増幅して前記補正信号を出力する第２の補正信号出力工程を有することを特徴とする。
【発明の効果】
【００１２】
基準電圧やオペアンプ回路の利得を適切に選ぶことで、規模の大きい回路を使って複雑な制御をすることなく、周波数や温度が変わるとそれにあわせて自動的に周波数特性を補正することが出来る。
【発明を実施するための最良の形態】
【００１３】
周波数ごとでの周波数特性をシンセサイザ回路のＡＰＣ−Ｖを使って補正し、温度による周波数特性の変動を温度モニターのモニター電圧を使って補正することにより、特別な制御を行うこともなく、回路規模を小さくする。
【実施例１】
【００１４】
＜構成＞
図１に実施例１に係る周波数変換回路の構成ブロック図を示す。周波数変換回路は、シンセサイザ回路１と、コンバータ回路２と、周波数特性補正回路３と、温度特性補正回路４により構成されている。
【００１５】
シンセサイザ回路１は、コンバータ回路２に含まれており、ＶＣＯ１、ＰＬＬ回路２、ＴＣＸＯ３から構成される。
【００１６】
コンバータ回路２は、シンセサイザ回路１をＬＯとするミキサ６、増幅器４、８、ＢＰＦ７に周波数特性補正用にイコライザ回路５から構成される。
【００１７】
周波数特性補正回路３は、ＰＬＬ回路１２〜ＶＣＯ１１間のＡＰＣ−Ｖを、抵抗３１〜３４、オペアンプ３５、分圧用の抵抗３６、３７から構成されるオペアンプ回路に入力し、周波数特性補正用の電圧を出力する。
【００１８】
温度特性補正回路４は、温度モニター４０からのモニター電圧を、抵抗４１〜４４、オペアンプ４５、分圧用の抵抗４６、４７から構成されるオペアンプ回路に入力し、温度特性補正用の電圧を出力する。
【００１９】
さらに周波数変換回路は、周波数特性補正用の電圧、温度特性補正用の電圧をたしてイコライザの制御用の電圧として出力する抵抗５１〜５４、オペアンプ５５から構成されるオペアンプ回路を有している。
【００２０】
＜動作＞
図９に示すような周波数特性を図２に示すような一般的なイコライザ回路で補正することを考える。
【００２１】
図９の周波数特性では、中心周波数がｆ２の時の帯域２では、ほぼ平坦だが、ｆ１の時は帯域１は右上がり（周波数の高い方が利得が高い、又はロスが少ない）で、ｆ３の時は帯域３は右下がり（周波数の高い方が利得が低い、又はロスが大きい）の特性になっており、図３に示すようにイコライザ回路の特性を補正して帯域１、３を平坦にする必要がある。中心周波数がｆ１、ｆ２、ｆ３になるようＬＯ周波数をセットした場合のＶＣＯ１のＡＰＣ−Ｖはｆ１＜ｆ２＜ｆ３となる。
【００２２】
図２のイコライザ回路の特性は図４に示すとおりで、制御電圧により周波数特性の傾きを変化させることが出来るので、この制御電圧をＶＣＯ１のＡＰＣ−Ｖをもとにつくる。
【００２３】
ＶＣＯ１１〜ＰＬＬ回路１２間のＡＰＣ−Ｖを抵抗３１〜３４とオペアンプ３５で構成されるオペアンプ回路に入力する。イコライザ回路２２に必要な制御電圧はｆ１＞ｆ２＞ｆ３なので、オペアンプ回路は、ある基準電圧１をもとに差動増幅して出力するようにする。また、必要に応じてこの電圧を抵抗３６、３７で分圧して周波数特性補正回路３から出力する。
【００２４】
次に温度モニター９から出力される温度モニター電圧を抵抗４１〜４４とオペアンプ４５で構成されるオペアンプ回路に入力する。温度による周波数特性の変動が図５に示す方向だとすると、イコライザ回路に必要な制御電圧は低温＜常温＜高温なので、オペアンプ回路は、温度モニター電圧をもとに基準電圧２と差動増幅して出力するようにする。また、必要に応じてこの電圧を抵抗４６、４７で分圧して温度特性補正回路４から出力する。
【００２５】
上記、周波数特性補正回路３から出力された電圧と、温度特性補正回路７から出力された電圧を、抵抗５１〜５４とオペアンプ５５で構成されるオペアンプ回路で足しあわせて、イコライザの制御電圧とする。基準電圧１、２や抵抗３１〜３４、３６、３７、４１〜４４、４６、４７、５１〜５４は、イコライザ回路２２の特性、温度モニター４０の特性から決めることが出来る。
【実施例２】
【００２６】
周波数特性の温度変動が、実施例１とは逆に図６の様な場合は、イコライザ回路２２に必要な制御電圧は低温＞常温＞高温なので、温度特性補正回路４のオペアンプ回路は、図７に示すような基準電圧３をもとに、温度モニター電圧と差動増幅して出力するようにする。また、必要に応じてこの電圧を抵抗４６、４７で分圧して温度特性補正回路４から出力する。こうすることで、実施例１と同じく周波数、温度によって自動的に周波数特性を補正することが出来る。
【００２７】
なお、上記形態は本発明の実施する際の一例であって、これに限定するものではなく、本発明の要旨を逸脱しない範囲において種々変形することが可能である。
【図面の簡単な説明】
【００２８】
【図１】実施例１における周波数変換回路の構成ブロック図である。
【図２】イコライザ回路の回路図である。
【図３】コンバータ回路、イコライザ回路それぞれにおける特性に対し、周波数特性として必要とする特性を示したグラフである。
【図４】イコライザ回路の特性を表すグラフである。
【図５】実施例１における周波数特性の温度変動を表すグラフである。
【図６】実施例２における周波数特性の温度変動を表すグラフである。
【図７】実施例２における周波数変換回路の構成ブロック図である。
【図８】従来の周波数変換回路におけるシンセサイザ回路１及びコンバータ回路２の構成ブロック図である。
【図９】帯域１〜３における周波数特性を表すグラフである。
【図１０】従来の周波数変換回路の構成ブロック図である。
【符号の説明】
【００２９】
１    シンセサイザ回路
２    コンバータ回路
３    周波数特性補正回路
４    温度特性補正回路
１１    ＶＣＯ
１２    ＰＬＬ回路
１３    ＴＣＸＯ
２１    増幅器
２２    イコライザ回路
２３    ミキサ
２４    ＢＰＦ
２５    増幅器
３１〜３４    抵抗
３５    オペアンプ
３６、３７    分圧用の抵抗
４０    温度モニター
４１〜４４    抵抗
４５    オペアンプ
４６、４７    分圧用の抵抗
５１〜５４    抵抗
５５    オペアンプ
６１    制御回路
６２    ＲＯＭ
６３    Ｄ／Ａコンバータ
【図１】
2005217732.tif 000003
【図２】
2005217732.tif 000004
【図３】
2005217732.tif 000005
【図４】
2005217732.tif 000006
【図５】
2005217732.tif 000007
【図６】
2005217732.tif 000008
【図７】
2005217732.tif 000009
【図８】
2005217732.tif 000010
【図９】
2005217732.tif 000011
【図１０】
2005217732.tif 000012